(57)【要約】【課題】被着体に折り畳まれた状態で剥離可能に貼着される隠蔽はがきにおいて、被着体から剥離して送付する場合に、表示された秘匿情報を送付元にて手間をかけることなく隠蔽する。【解決手段】折り畳み可能に連接した３つの紙片部１０ａ〜１０ｃのうち、互いに連接する２つの紙片部１０ａ，１０ｂからはがき本体２を構成し、他の１つの紙片部１０ｃから隠蔽片３を構成し、被着体から剥離し、はがき本体２を構成する２つの紙片部１０ａ，１０ｂを見開き、紙片部１０ｂの情報記入欄１３ｂに振込情報１５を記入した後、はがき本体２と隠蔽片３とを貼着することにより振込情報１５が隠蔽された隠蔽はがき１とする。【選択図】図１
2011088412.tif 000002
【特許請求の範囲】
【請求項１】
はがき本体と隠蔽片とから構成され、前記はがき本体または前記隠蔽片に表示された秘匿情報を隠蔽する隠蔽はがきであって、
３つの紙片部が折り畳み可能に連接して構成され、
前記３つの紙片部のうち、互いに連接する２つの紙片部から前記はがき本体が構成され、他の１つの紙片部から前記隠蔽片が構成され、
前記３つの紙片部が折り畳まれて互いに剥離可能に貼着された状態で被着体に剥離可能に貼着され、
前記被着体から剥離された状態において前記はがき本体を構成する２つの紙片部が見開かれ、前記はがき本体と前記隠蔽片とが貼着されることにより前記秘匿情報を隠蔽する隠蔽はがき。
【請求項２】
請求項１に記載の隠蔽はがきにおいて、
前記隠蔽片が、前記はがき本体を構成する紙片部の面のうち、前記隠蔽はがきが前記被着体に貼着されている状態にて貼着されている面とは異なる面に貼着されることにより、前記秘匿情報を隠蔽する隠蔽はがき。
【請求項３】
請求項２に記載の隠蔽はがきにおいて、
前記隠蔽片は、前記被着体に貼着される貼着構造を有し、該貼着構造によって前記はがき本体と貼着される隠蔽はがき。
【請求項４】
請求項１乃至３のいずれか１項に記載の隠蔽はがきにおいて、
前記はがき本体には、前記被着体の送付先情報が表示され、該送付先情報が前記隠蔽はがきの送付元情報として使用される隠蔽はがき。
【発明の詳細な説明】
【技術分野】
【０００１】
本発明は、隠蔽機能を有する隠蔽はがきに関し、特に、被着体に剥離可能に貼着された状態から剥離して使用される隠蔽はがきに関する。
【背景技術】
【０００２】
従来より、旅行や商品案内等のパンフレットに、申込はがきや応募はがきが添付された印刷物が、店舗に置かれたり消費者に送付されたりしている。このような印刷物は、旅行や商品案内等のパンフレットに、その旅行に申し込んだり商品を購入したりするための申込はがきや、旅行や商品が当選する抽選に応募するための応募はがきが区画形成されている。この申込はがきを用いて申し込みを行う消費者や、応募はがきを用いて応募を行う消費者は、パンフレットから申込はがきや応募はがきを切り離し、必要事項を記入した後、必要事項が記入された申込はがきや応募はがきを送付することになる。
【０００３】
このような印刷物においては、申込はがきや応募はがきがパンフレットに区画形成されているため、パンフレットを開かなければ申込はがきや応募はがきを取り出すことができない。また、申込はがきや応募はがきにパンフレットの送付先の住所や氏名を印刷しておけば、申込はがきや応募はがきを送付する際に申込はがきや応募はがきの送付元情報を記入する手間を省くことができるが、申込はがきや応募はがきがパンフレットに区画形成された状態では、そのようなパンフレットの送付先に応じた情報を印刷することが困難である。
【０００４】
ここで、商品キャンペーン用のはがきを折り畳んでパンフレット等の商品に剥離可能に貼着されるはがき付きラベルが考えられている（例えば、特許文献１参照。）。このラベルをパンフレットの表面に剥離可能に貼着すれば、パンフレットを開くことなくはがきを利用することができ、また、パンフレットの送付先の住所や氏名をはがきに印刷しておくことが可能となる。また、はがきが折り畳まれた状態でパンフレットに貼着されるため、パンフレットの表面のデザインを損ねることがない。
【先行技術文献】
【特許文献】
【０００５】
【特許文献１】特開２００２−５９６７６号公報
【発明の概要】
【発明が解決しようとする課題】
【０００６】
近年、個人情報の取り扱いが重要視されてきており、はがきを送付する際に、個人情報が記入された領域に隠蔽ラベルを貼着し、それにより、はがきの送付途中における個人情報の漏洩を防止することが行われている。
【０００７】
このような隠蔽ラベルは、送付されるはがきとは別体で用意されており、はがきの送付元においてはがきに隠蔽ラベルが貼着される。これは、上述したようにパンフレットに貼着されたはがきにおいても同様であって、そのはがきに個人情報等の秘匿情報が表示されており、その秘匿情報を隠蔽ラベルで隠蔽して送付させる場合、パンフレットに隠蔽ラベルを同封し、はがきの送付元において、パンフレットに同封された隠蔽ラベルを取り出してはがきに貼着して送付することとなる。
【０００８】
そのため、はがきの送付元において、パンフレットに同封された隠蔽ラベルを取り出す必要があり、隠蔽ラベルがパンフレットに挟み込まれている場合、結局、パンフレットを開かなければはがきを利用することができない。このように、パンフレット等の被着体に剥離可能に貼着されたはがきにおいても、そのはがきに秘匿情報が表示されており、この秘匿情報を隠蔽してはがきを送付する場合、はがきの送付元において手間がかかってしまうという問題点がある。
【０００９】
本発明は、上述したような従来の技術が有する問題点に鑑みてなされたものであって、被着体に折り畳まれた状態で剥離可能に貼着される隠蔽はがきにおいて、被着体から剥離して送付する場合に、送付元にて手間をかけることなく表示された秘匿情報を隠蔽することができる隠蔽はがきを提供することを目的とする。
【課題を解決するための手段】
【００１０】
上記目的を達成するために本発明は、
はがき本体と隠蔽片とから構成され、前記はがき本体または前記隠蔽片に表示された秘匿情報を隠蔽する隠蔽はがきであって、
３つの紙片部が折り畳み可能に連接して構成され、
前記３つの紙片部のうち、互いに連接する２つの紙片部から前記はがき本体が構成され、他の１つの紙片部から前記隠蔽片が構成され、
前記３つの紙片部が折り畳まれて互いに剥離可能に貼着された状態で被着体に剥離可能に貼着され、
前記被着体から剥離された状態において前記はがき本体を構成する２つの紙片部が見開かれ、前記はがき本体と前記隠蔽片とが貼着されることにより前記秘匿情報を隠蔽する。
【００１１】
上記のように構成された本発明においては、折り畳み可能に連接した３つの紙片部が折り畳まれて互いに剥離可能に貼着された状態で被着体に剥離可能に貼着されており、この状態から、３つの紙片部のうち、互いに連接する２つの紙片部から構成されるはがき本体または、他の１つの紙片部から構成される隠蔽片に表示された秘匿情報を隠蔽して隠蔽はがきとして送付する場合は、被着体から剥離し、はがき本体を構成する２つの紙片部を見開き、このはがき本体と隠蔽片とを貼着することにより秘匿情報を隠蔽して送付することになる。
【００１２】
このように、折り畳み可能に連接した３つの紙片部のうち、互いに連接する２つの紙片部からはがき本体が構成され、他の１つの紙片部から隠蔽片が構成され、被着体から剥離した後、はがき本体を構成する２つの紙片部を見開き、このはがき本体と隠蔽片とを貼着することにより秘匿情報が隠蔽された隠蔽はがきの形状となるので、被着体から剥離して送付する場合に、送付元にて手間をかけることなく表示された秘匿情報を隠蔽することができる。
【００１３】
そのような構成としては、例えば、隠蔽片が、はがき本体を構成する紙片部の面のうち、隠蔽はがきが被着体に貼着されている状態にて貼着されている面とは異なる面に貼着されることにより、秘匿情報を隠蔽する構成が考えられる。
【００１４】
また、隠蔽片が、被着体に貼着される貼着構造を有し、その貼着構造によってはがき本体と貼着される構成とすれば、被着体に貼着される貼着構造を、隠蔽片をはがき本体と貼着するための手段として用いることができる。
【００１５】
また、はがき本体に被着体の送付先情報が表示され、その送付先情報が隠蔽はがきの送付元情報として使用されれば、隠蔽はがきの送付元において送付元情報を記入する手間が省ける。
【発明の効果】
【００１６】
以上説明したように本発明においては、折り畳み可能に連接した３つの紙片部のうち、互いに連接する２つの紙片部からはがき本体が構成され、他の１つの紙片部から隠蔽片が構成され、被着体から剥離した後、はがき本体を構成する２つの紙片部を見開き、このはがき本体と隠蔽片とを貼着することにより秘匿情報が隠蔽された隠蔽はがきとなる構成としたため、被着体から剥離して送付する場合に、表示された秘匿情報を送付元にて手間をかけることなく隠蔽することができる。
【００１７】
また、隠蔽片が、被着体に貼着される貼着構造を有し、その貼着構造によってはがき本体と貼着されるものにおいては、被着体に貼着される貼着構造を、隠蔽片をはがき本体と貼着するための手段として用いることができる。
【００１８】
また、はがき本体に被着体の送付先情報が表示され、その送付先情報が隠蔽はがきの送付元情報として使用されるものにおいてはれば、隠蔽はがきの送付元において送付元情報を記入する手間を省くことができる。
【図面の簡単な説明】
【００１９】
【図１】本発明の隠蔽はがきの第１の実施の形態を示す図であり、（ａ）は表面図、（ｂ）は裏面図、（ｃ）は（ａ）に示したＡ−Ａ’断面図である。
【図２】図１に示した隠蔽はがきの使用方法を説明するための図である。
【図３】本発明の隠蔽はがきの第２の実施の形態を示す図であり、（ａ）は表面図、（ｂ）は裏面図、（ｃ）は（ａ）に示したＡ−Ａ’断面図である。
【図４】図３に示した隠蔽はがきの使用方法を説明するための図である。
【図５】本発明の隠蔽はがきの第３の実施の形態を示す図であり、（ａ）は表面図、（ｂ）は裏面図、（ｃ）は（ａ）に示したＡ−Ａ’断面図である。
【図６】図５に示した隠蔽はがきの使用方法を説明するための図である。
【図７】本発明の隠蔽はがきの第４の実施の形態を示す図であり、（ａ）は表面図、（ｂ）は裏面図、（ｃ）は（ａ）に示したＡ−Ａ’断面図である。
【図８】図７に示した隠蔽はがきの使用方法を説明するための図である。
【図９】本発明の隠蔽はがきの第５の実施の形態を示す図であり、（ａ）は表面図、（ｂ）は裏面図、（ｃ）は（ａ）に示したＡ−Ａ’断面図である。
【図１０】図９に示した隠蔽はがきの使用方法を説明するための図である。
【発明を実施するための形態】
【００２０】
以下に、本発明の実施の形態について図面を参照して説明する。
【００２１】
（第１の実施の形態）
図１は、本発明の隠蔽はがきの第１の実施の形態を示す図であり、（ａ）は表面図、（ｂ）は裏面図、（ｃ）は（ａ）に示したＡ−Ａ’断面図である。
【００２２】
本形態は図１に示すように、紙基材４からなる３つの紙片部１０ａ〜１０ｃが折り部２０ａ，２０ｂを介して折り畳み可能に連接して構成されており、折り部２０ａを介して連接する２つの紙片部１０ａ，１０ｂからはがき本体２が構成され、紙片部１０ｃから隠蔽片３が構成されている。
【００２３】
紙片部１０ａは、表面に、この隠蔽はがき１の送付元の住所や氏名等の宛先情報１２が印刷によって表示されており、裏面には、この隠蔽はがき１の送付元から送付先に通知する通知情報を記入するための情報記入欄１３ａが設けられている。
【００２４】
紙片部１０ｂは、表面に、この隠蔽はがき１の送付先の住所や氏名等の宛先情報１１が印刷によって表示されており、裏面には、この隠蔽はがき１の送付元から送付先に通知する振込情報を記入するための情報記入欄１３ｂが設けられている。
【００２５】
紙片部１０ｃは、表面に地紋印刷１７が施されており、裏面には、この隠蔽はがき１の送付方法を示す説明情報１４が印刷されている。
【００２６】
また、紙基材４うち、この隠蔽はがき１の表面側には、紙片部１０ｂ，１０ｃに渡って、圧力を加えることにより貼着され、貼着後の剥離を可能とする感圧接着剤５が塗布されている。また、紙基材４のうち、この隠蔽はがき１の裏面側には、紙片部１０ａ，１０ｂに渡って感圧接着剤５が塗布されているとともに、紙片部１０ｃに、貼着後の剥離が可能であって、剥離後の再貼着が可能な弱粘着剤６が塗布されている。
【００２７】
以下に、上記のように構成された隠蔽はがき１の使用方法について説明する。
【００２８】
図２は、図１に示した隠蔽はがき１の使用方法を説明するための図である。
【００２９】
図１に示した隠蔽はがき１は、例えば、消費者にパンフレットを送付し、パンフレットの送付に応じた代金を消費者に振り込ませる際に振込情報をパンフレットの送付元に通知するために用いられる。
【００３０】
図１に示した隠蔽はがき１をこのようなパンフレットの送付に用いる場合は、図２（ａ）に示すように、３つの紙片部１０ａ〜１０ｃを、２つの紙片部１０ａ，１０ｂが、情報記入欄１３ａ，１３ｂが設けられた面が対向するように、また、２つの紙片部１０ｂ，１０ｃが、宛先情報１１が表示された面と地紋印刷１７が施された面とが対向するように、Ｚ形状に折り畳み、紙基材４の表裏に塗布された感圧接着剤５によって、紙片部１０ａと紙片部１０ｂ、紙片部１０ｂと紙片部１０ｃとをそれぞれ貼着する。そして、紙基材４の紙片部１０ｃとなる領域に塗布された弱粘着剤６によって被着体となるパンフレット３０に貼着する。
【００３１】
この状態においては、紙片部１０ａに表示された宛先情報１２が表出しているが、この宛先情報１２は、隠蔽はがき１の送付元の住所や氏名等であるとともに、パンフレット３０の送付先情報であるため、この宛先情報１２に従ってパンフレット３０が送付先に送付される。
【００３２】
パンフレット３０が送付先にて受け取られた後、パンフレット３０の送付先において、まず、図２（ｂ）に示すように、隠蔽はがき１をパンフレット３０から剥離する。隠蔽はがき１は紙片部１０ｃにてパンフレット３０に貼着されているが、紙片部１０ｃにパンフレット３０と貼着するために設けられた貼着構造は、貼着後の剥離が可能な弱粘着剤６であるため、パンフレット３０から隠蔽はがき１を剥離することができる。なお、パンフレット３０の隠蔽はがき１が貼着される領域に剥離剤を塗布しておくことにより、隠蔽はがき１を剥離しやすくすることも考えられる。
【００３３】
次に、図２（ｃ）に示すように、折り畳まれた状態で互いに貼着されていた３つの紙片部１０ａ〜１０ｃをそれぞれ剥離することにより、２つ折りにされていたはがき本体２を見開くとともに、はがき本体２から隠蔽片３を剥離する。３つの紙片部１０ａ〜１０ｃは、感圧接着剤５によって互いに貼着されているが、感圧接着剤５は、貼着後の剥離を可能とするものであるため、互いに貼着された３つの紙片部１０ａ〜１０ｃを剥離することができる。
【００３４】
そして、図２（ｄ）に示すように、紙片部１０ｂに設けられた情報記入欄１３ｂに、パンフレット３０の送付に応じた代金の振込みに関する秘匿情報となる振込情報１５を記入するとともに、紙片部１０ａに設けられた情報記入欄１３ａに、パンフレット３０の送付先から送付元に通知したい通知情報１６を記入する。この際、情報記入欄１３ａ，１３ｂはそれぞれ、２つの紙片部１０ａ，１０ｂの貼着面に設けられているものの、２つの紙片部１０ａ，１０ｂは感圧接着剤５によって互いに貼着されているため、互いに剥離した後であっても筆記性を有しており、それにより、振込情報１５や通知情報１６が記入可能となっている。
【００３５】
情報記入欄１３ａ，１３ｂに通知情報１６及び振込情報１５をそれぞれ記入した後、図２（ｅ）に示すように、紙片部１０ｂの情報記入欄１３ｂが設けられた面と紙片部１０ｃの説明情報１４が印刷された面とが対向するように折り部２０ｂを介して紙片部１０ｂ，１０ｃを折り畳む。
【００３６】
すると、紙片部１０ｃの説明情報１４が印刷された面には、隠蔽はがき１をパンフレット３０に貼着するための貼着構造となる弱粘着剤６が塗布されており、この弱粘着剤６は、剥離後の再貼着が可能なものであるため、２つの紙片部１０ｂ，１０ｃがこの弱粘着剤６によって互いに貼着され、はがき本体２に隠蔽片３が貼着されることになる。ここで、隠蔽片３となる紙片部１０ｃは、隠蔽はがき１が折り畳まれてパンフレット３０に貼着されている状態においては地紋印刷１７が施された面が、紙片部１０ｂの宛先情報１１が表示された面と貼着されているため、紙片部１０ｃは、隠蔽はがき１がパンフレット３０に貼着された状態にて貼着されている面とは異なる面に貼着されることになる。
【００３７】
このように、隠蔽片３となる紙片部１０ｃに、隠蔽はがき１をパンフレット３０に貼着するための弱粘着剤６を塗布し、この弱粘着剤６によって隠蔽片３とはがき本体２とを貼着することにより、隠蔽はがき１をパンフレット３０に貼着するための貼着構造を、隠蔽片３をはがき本体２と貼着するための手段として用いることができる。そして、それにより、図２（ｆ）に示すように、紙片部１０ｂの情報記入欄１３ｂに記入によって表示された振込情報１５が隠蔽片３によって隠蔽されることになる。なお、隠蔽片３となる紙片部１０ｃには、地紋印刷１７が施されているため、この隠蔽はがき１を光に透かした場合であっても、紙片部１０ｂの情報記入欄１３ｂに記入された振込情報１５が見えてしまうことが回避される。
【００３８】
このようにして２つの紙片部１０ｂ，１０ｃが貼着された隠蔽はがき１は、図２（ｇ）に示すように、紙片部１０ｂの表出した面に、この隠蔽はがき１の送付先の住所や氏名等の宛先情報１１が表示されているので、この宛先情報１１に従って隠蔽はがき１が送付されることになる。
【００３９】
隠蔽はがき１が送付先にて受け取られた後、隠蔽はがき１の送付先において、互いに貼着されていた２つの紙片部１０ｂ，１０ｃを剥離する。２つの紙片部１０ｂ，１０ｃは、貼着後の剥離が可能な弱粘着剤６によって互いに貼着されているため、２つの紙片部１０ｂ，１０ｃを互いに剥離することができる。すると、紙片部１０ｂの情報記入欄１３ｂに記入され、隠蔽片３となる紙片部１０ｃによって隠蔽されていた振込情報１５が視認可能となり、隠蔽はがき１の送付先において、この振込情報１５を確認するとともに、紙片部１０ａに表示された宛先情報１２及び情報記入欄１３ａに記入された通知情報１６を確認する。紙片部１０ａに表示された宛先情報１２は、隠蔽はがき１の送付元の住所や氏名等であるため、隠蔽はがき１の送付元において、送付元の住所や氏名等を記入することなく、送付元の住所や氏名等を、隠蔽はがき１の送付先に通知することができる。
【００４０】
このように本形態においては、折り畳み可能に連接した３つの紙片部１０ａ〜１０ｃのうち、互いに連接する２つの紙片部１０ａ，１０ｂからはがき本体２が構成され、他の１つの紙片部１０ｃから隠蔽片３が構成され、被着体となるパンフレット３０から剥離し、はがき本体２を構成する２つの紙片部１０ａ，１０ｂを見開き、紙片部１０ｂの情報記入欄１３ｂに振込情報１５を記入した後、はがき本体２と隠蔽片３とを貼着することにより振込情報１５が隠蔽された隠蔽はがき１となる構成としたため、パンフレット３０から剥離して送付する場合に、情報記入欄１３ｂに記入された振込情報１５を送付元にて手間をかけることなく隠蔽することができる。
【００４１】
（第２の実施の形態）
図３は、本発明の隠蔽はがきの第２の実施の形態を示す図であり、（ａ）は表面図、（ｂ）は裏面図、（ｃ）は（ａ）に示したＡ−Ａ’断面図である。
【００４２】
本形態は図３に示すように、紙基材１０４からなる３つの紙片部１１０ａ〜１１０ｃが折り部１２０ａ，１２０ｂを介して折り畳み可能に連接して構成されており、折り部１２０ａを介して連接する２つの紙片部１１０ａ，１１０ｂからはがき本体１０２が構成され、紙片部１１０ｃから隠蔽片１０３が構成されている。
【００４３】
紙片部１１０ａは、表面に、この隠蔽はがき１０１の送付先の住所や氏名等の宛先情報１１１が印刷によって表示されており、裏面には、この隠蔽はがき１０１の送付元から送付先に通知する振込情報を記入するための情報記入欄１１３ａが設けられている。
【００４４】
紙片部１１０ｂは、表面に、この隠蔽はがき１０１の送付元の住所や氏名等の秘匿情報となる宛先情報１１２が印刷によって表示されており、裏面には、この隠蔽はがき１０１の送付元から送付先に通知する通知情報を記入するための情報記入欄１１３ｂが設けられている。
【００４５】
紙片部１１０ｃは、表面には、この隠蔽はがき１０１の送付方法を示す説明情報１１４が印刷されており、裏面には地紋印刷１１７が施されている。
【００４６】
また、紙基材１０４うち、この隠蔽はがき１０１の表面側には、紙片部１１０ａに、圧力を加えることにより貼着され、貼着後の剥離を可能とする感圧接着剤１０５が塗布されているとともに、紙片部１１０ｃに、貼着後の剥離が可能であって、剥離後の再貼着が可能な弱粘着剤１０６が塗布されている。また、紙基材１０４のうち、この隠蔽はがき１０１の裏面側の全面に感圧接着剤１０５が塗布されている。
【００４７】
以下に、上記のように構成された隠蔽はがき１０１の使用方法について説明する。
【００４８】
図４は、図３に示した隠蔽はがき１０１の使用方法を説明するための図である。
【００４９】
図３に示した隠蔽はがき１０１は、例えば、消費者にパンフレットを送付し、パンフレットの送付に応じた代金を消費者に振り込ませる際に振込情報をパンフレットの送付元に通知するために用いられる。
【００５０】
図３に示した隠蔽はがき１０１をこのようなパンフレットの送付に用いる場合は、図４（ａ）に示すように、２つの紙片部１１０ａ，１１０ｂを、情報記入欄１１３ａ，１１３ｂが設けられた面が対向するように折り畳み、紙基材１０４の裏面に塗布された感圧接着剤１０５によってこれら２つの紙片部１１０ａ，１１０ｂを互いに貼着し、さらに、地紋印刷１１７が施された面が紙片部１１０ａの宛先情報１１１が表示された面と対向するように紙片部１１０ｃを折り畳み、紙基材１０４の表裏に塗布された感圧接着剤１０５によって、紙片部１１０ａと紙片部１１０ｃとを貼着する。そして、紙基材１０４の紙片部１１０ｃとなる領域に塗布された弱粘着剤１０６によって被着体となるパンフレット１３０に貼着する。
【００５１】
この状態においては、紙片部１１０ｂに表示された宛先情報１１２が表出しているが、この宛先情報１１２は、隠蔽はがき１０１の送付元の住所や氏名等であるとともに、パンフレット１３０の送付先情報であるため、この宛先情報１１２に従ってパンフレット１３０が送付先に送付される。
【００５２】
パンフレット１３０が送付先にて受け取られた後、パンフレット１３０の送付先において、まず、図４（ｂ）に示すように、隠蔽はがき１０１をパンフレット１３０から剥離する。隠蔽はがき１０１は紙片部１１０ｃにてパンフレット１３０に貼着されているが、紙片部１１０ｃにパンフレット１３０と貼着するために設けられた貼着構造は、貼着後の剥離が可能な弱粘着剤１０６であるため、パンフレット１３０から隠蔽はがき１０１を剥離することができる。なお、パンフレット１３０の隠蔽はがき１０１が貼着される領域に剥離剤を塗布しておくことにより、隠蔽はがき１０１を剥離しやすくすることも考えられる。
【００５３】
次に、図４（ｃ）に示すように、折り畳まれた状態で互いに貼着されていた３つの紙片部１１０ａ〜１１０ｃをそれぞれ剥離することにより、２つ折りにされていたはがき本体１０２を見開くとともに、はがき本体１０２から隠蔽片１０３を剥離する。３つの紙片部１１０ａ〜１１０ｃは、感圧接着剤１０５によって互いに貼着されているが、感圧接着剤１０５は、貼着後の剥離を可能とするものであるため、互いに貼着された３つの紙片部１１０ａ〜１１０ｃを剥離することができる。本形態においては、まず、紙片部１１０ａと紙片部１１０ｃとを剥離し、その後、紙片部１１０ａと紙片部１１０ｂとを剥離することにより、２つ折りにされていたはがき本体１０２を見開くとともに、はがき本体１０２から隠蔽片１０３を剥離することになる。
【００５４】
そして、図４（ｄ）に示すように、紙片部１１０ａに設けられた情報記入欄１１３ａに、パンフレット１３０の送付に応じた代金の振込みに関する振込情報１１５を記入するとともに、紙片部１１０ｂに設けられた情報記入欄１１３ｂに、パンフレット１３０の送付先から送付元に通知したい通知情報１１６を記入する。この際、情報記入欄１１３ａ，１１３ｂはそれぞれ、２つの紙片部１１０ａ，１１０ｂの貼着面に設けられているものの、２つの紙片部１１０ａ，１１０ｂは感圧接着剤１０５によって互いに貼着されているため、互いに剥離した後であっても筆記性を有しており、それにより、振込情報１１５や通知情報１１６が記入可能となっている。
【００５５】
情報記入欄１１３ａ，１１３ｂに振込情報１１５及び通知情報１１６をそれぞれ記入した後、図４（ｅ）に示すように、紙片部１１０ｂの宛先情報１１２が表示された面と紙片部１１０ｃの説明情報１１４が印刷された面とが対向するように折り部１２０ｂを介して紙片部１１０ｂ，１１０ｃを折り畳む。
【００５６】
すると、紙片部１１０ｃの説明情報１１４が印刷された面には、隠蔽はがき１０１をパンフレット１３０に貼着するための貼着構造となる弱粘着剤１０６が塗布されており、この弱粘着剤１０６は、剥離後の再貼着が可能なものであるため、２つの紙片部１１０ｂ，１１０ｃがこの弱粘着剤１０６によって互いに貼着され、はがき本体１０２に隠蔽片１０３が貼着されることになる。ここで、隠蔽片１０３となる紙片部１１０ｃは、隠蔽はがき１０１が折り畳まれてパンフレット１３０に貼着されている状態においては地紋印刷１１７が施された面が、紙片部１１０ａの宛先情報１１１が表示された面と貼着されているため、紙片部１１０ｃは、隠蔽はがき１０１がパンフレット１３０に貼着された状態にて貼着されている面とは異なる面に貼着されることになる。
【００５７】
このように、隠蔽片１０３となる紙片部１１０ｃに、隠蔽はがき１０１をパンフレット１３０に貼着するための弱粘着剤１０６を塗布し、この弱粘着剤１０６によって隠蔽片１０３とはがき本体１０２とを貼着することにより、隠蔽はがき１０１をパンフレット１３０に貼着するための貼着構造を、隠蔽片１０３をはがき本体１０２と貼着するための手段として用いることができる。
【００５８】
これにより、図４（ｆ）に示すように、紙片部１１０ｂに表示された宛先情報１１２が隠蔽片１０３によって隠蔽されることになる。なお、隠蔽片１０３となる紙片部１１０ｃには、地紋印刷１１７が施されているため、この隠蔽はがき１０１を光に透かした場合であっても、紙片部１１０ｂに表示された宛先情報１１２が見えてしまうことが回避される。また、このようにして２つの紙片部１１０ｂ，１１０ｃが貼着された隠蔽はがき１０１は、紙片部１１０ａに、この隠蔽はがき１０１の送付先の住所や氏名等の宛先情報１１１が表示されているので、この宛先情報１１１に従って隠蔽はがき１０１が送付されることになる。
【００５９】
隠蔽はがき１０１が送付先にて受け取られた後、隠蔽はがき１０１の送付先において、互いに貼着されていた２つの紙片部１１０ｂ，１１０ｃを剥離する。２つの紙片部１１０ｂ，１１０ｃは、貼着後の剥離が可能な弱粘着剤１０６によって互いに貼着されているため、２つの紙片部１１０ｂ，１１０ｃを互いに剥離することができる。すると、紙片部１１０ｂに表示され、隠蔽片１０３となる紙片部１１０ｃによって隠蔽されていた宛先情報１１２が視認可能となり、隠蔽はがき１０１の送付先において、この宛先情報１１２を確認するとともに、紙片部１１０ａ，１１０ｂの情報記入欄１１３ａ，１１３ｂに記入された振込情報１１５及び通知情報１１６をそれぞれ確認する。紙片部１１０ｂに表示された宛先情報１１２は、隠蔽はがき１０１の送付元の住所や氏名等であるため、隠蔽はがき１０１の送付元において、送付元の住所や氏名等を記入することなく、送付元の住所や氏名等を、隠蔽はがき１０１の送付先に通知することができる。
【００６０】
このように本形態においては、折り畳み可能に連接した３つの紙片部１１０ａ〜１１０ｃのうち、互いに連接する２つの紙片部１１０ａ，１１０ｂからはがき本体１０２が構成され、他の１つの紙片部１１０ｃから隠蔽片１０３が構成され、被着体となるパンフレット１３０から剥離し、はがき本体１０２を構成する２つの紙片部１１０ａ，１１０ｂを見開き、紙片部１１０ａ，１１０ｂの情報記入欄１１３ａ，１１３ｂに振込情報１１５及び通知情報１１６をそれぞれ記入した後、はがき本体１０２と隠蔽片１０３とを貼着することにより、紙片部１１０ｂに表示された宛先情報１１２が隠蔽された隠蔽はがき１０１となる構成としたため、パンフレット１３０から剥離して送付する場合に、紙片部１１０ｂに表示された宛先情報１１２を送付元にて手間をかけることなく隠蔽することができる。
【００６１】
（第３の実施の形態）
図５は、本発明の隠蔽はがきの第３の実施の形態を示す図であり、（ａ）は表面図、（ｂ）は裏面図、（ｃ）は（ａ）に示したＡ−Ａ’断面図である。
【００６２】
本形態は図５に示すように、図３に示したものに対して、感圧接着剤２０５が、紙基材２０４のうち、この隠蔽はがき２０１の裏面側にて２つの紙片部２１０ｂ，２１０ｃに渡ってのみ塗布されている点が異なるものである。
【００６３】
以下に、上記のように構成された隠蔽はがき２０１の使用方法について説明する。
【００６４】
図６は、図５に示した隠蔽はがき２０１の使用方法を説明するための図である。
【００６５】
図５に示した隠蔽はがき２０１は、例えば、消費者にパンフレットを送付し、パンフレットの送付に応じた代金を消費者に振り込ませる際に振込情報をパンフレットの送付元に通知するために用いられる。
【００６６】
図５に示した隠蔽はがき２０１をこのようなパンフレットの送付に用いる場合は、図６（ａ）に示すように、２つの紙片部２１０ｂ，２１０ｃを、情報記入欄２１３ｂが設けられた面と地紋印刷２１７が施された面とが対向するように折り畳み、紙基材２０４の裏面に塗布された感圧接着剤２０５によってこれら２つの紙片部２１０ｂ，２１０ｃを互いに貼着し、さらに、説明情報２１４が印刷された面が紙片部２１０ａの情報記入欄２１３ａが設けられた面と対向するように紙片部２１０ａを折り畳み、紙基材２０４の紙片部２１０ｃに塗布された弱粘着剤２０６によって、紙片部２１０ａと紙片部２１０ｃとを貼着する。そして、紙片部２１０ａの宛先情報２１１が表示された面を貼着面とし、被着体となるパンフレット２３０に塗布された弱粘着剤２３１によって隠蔽はがき２０１をパンフレット２３０に貼着する。
【００６７】
この状態においては、紙片部２１０ｂに表示された宛先情報２１２が表出しているが、この宛先情報２１２は、隠蔽はがき２０１の送付元の住所や氏名等であるとともに、パンフレット２３０の送付先情報であるため、この宛先情報２１２に従ってパンフレット２３０が送付先に送付される。
【００６８】
パンフレット２３０が送付先にて受け取られた後、パンフレット２３０の送付先において、まず、図６（ｂ）に示すように、隠蔽はがき２０１をパンフレット２３０から剥離する。隠蔽はがき２０１は紙片部２１０ｃにてパンフレット２３０に貼着されているが、紙片部２１０ｃとパンフレット２３０とは、パンフレット２３０に塗布された弱粘着剤２３１によって貼着されているため、パンフレット２３０から隠蔽はがき２０１を剥離することができる。
【００６９】
次に、図６（ｃ）に示すように、折り畳まれた状態で互いに貼着されていた３つの紙片部２１０ａ〜２１０ｃをそれぞれ剥離することにより、２つ折りにされていたはがき本体２０２を見開くとともに、はがき本体２０２から隠蔽片２０３を剥離する。本形態においては、まず、紙片部２１０ａと紙片部２１０ｃとを剥離する。これら２つの紙片部２１０ａ，２１０ｃは、紙片部２１０ｃに塗布された弱粘着剤２０６によって貼着されているが、この弱粘着剤２０６は貼着後の剥離を可能とするものであるため、これら２つの紙片部２１０ａ，２１０ｃを剥離することができる。その後、紙片部２１０ｂと紙片部２１０ｃとを剥離する。これら２つの紙片部２１０ｂ，２１０ｃは、感圧接着剤２０５によって互いに貼着されているが、感圧接着剤２０５は、貼着後の剥離を可能とするものであるため、互いに貼着された２つの紙片部２１０ｂ，２１０ｃを剥離することができる。
【００７０】
そして、図６（ｄ）に示すように、紙片部２１０ａに設けられた情報記入欄２１３ａに、パンフレット２３０の送付に応じた代金の振込みに関する振込情報２１５を記入するとともに、紙片部２１０ｂに設けられた情報記入欄２１３ｂに、パンフレット２３０の送付先から送付元に通知したい通知情報２１６を記入する。この際、情報記入欄２１３ａ，２１３ｂはそれぞれ、紙片部２１０ｃとの貼着面に設けられているものの、情報記入欄２１３ａの紙片部２１０ｃとの貼着面には貼着構造が設けられておらず、また、情報記入欄２１３ｂにおいては、感圧接着剤２０５によって紙片部２１０ｃと貼着されているため、互いに剥離した後であっても筆記性を有しており、それにより、振込情報２１５や通知情報２１６が記入可能となっている。
【００７１】
情報記入欄２１３ａ，２１３ｂに振込情報２１５及び通知情報２１６をそれぞれ記入した後、図６（ｅ）に示すように、紙片部２１０ｂの宛先情報２１２が表示された面と紙片部２１０ｃの説明情報２１４が印刷された面とが対向するように折り部２２０ｂを介して紙片部２１０ｂ，２１０ｃを折り畳む。
【００７２】
すると、紙片部２１０ｃの説明情報２１４が印刷された面には弱粘着剤２０６が塗布されており、この弱粘着剤２０６は、剥離後の再貼着が可能なものであるため、２つの紙片部２１０ｂ，２１０ｃがこの弱粘着剤２０６によって互いに貼着され、はがき本体２０２に隠蔽片２０３が貼着されることになる。ここで、隠蔽片２０３となる紙片部２１０ｃは、隠蔽はがき２０１が折り畳まれてパンフレット２３０に貼着されている状態においては地紋印刷２１７が施された面が、紙片部２１０ｂの情報記入欄２１３ｂが設けられた面と貼着されているため、紙片部２１０ｃは、隠蔽はがき２０１がパンフレット２３０に貼着された状態にて貼着されている面とは異なる面に貼着されることになる。
【００７３】
これにより、図６（ｆ）に示すように、紙片部２１０ｂに表示された宛先情報２１２が隠蔽片２０３によって隠蔽されることになる。なお、隠蔽片２０３となる紙片部２１０ｃには、地紋印刷２１７が施されているため、この隠蔽はがき２０１を光に透かした場合であっても、紙片部２１０ｂに表示された宛先情報２１２が見えてしまうことが回避される。また、このようにして２つの紙片部２１０ｂ，２１０ｃが貼着された隠蔽はがき２０１は、紙片部２１０ａに、この隠蔽はがき２０１の送付先の住所や氏名等の宛先情報２１１が表示されているので、この宛先情報２１１に従って隠蔽はがき２０１が送付されることになる。
【００７４】
隠蔽はがき２０１が送付先にて受け取られた後、隠蔽はがき２０１の送付先において、互いに貼着されていた２つの紙片部２１０ｂ，２１０ｃを剥離する。２つの紙片部２１０ｂ，２１０ｃは、貼着後の剥離が可能な弱粘着剤２０６によって互いに貼着されているため、２つの紙片部２１０ｂ，２１０ｃを互いに剥離することができる。すると、紙片部２１０ｂに表示され、隠蔽片２０３となる紙片部２１０ｃによって隠蔽されていた宛先情報２１２が視認可能となり、隠蔽はがき２０１の送付先において、この宛先情報２１２を確認するとともに、紙片部２１０ａ，２１０ｂの情報記入欄２１３ａ，２１３ｂに記入された振込情報２１５及び通知情報２１６をそれぞれ確認する。紙片部２１０ｂに表示された宛先情報２１２は、隠蔽はがき２０１の送付元の住所や氏名等であるため、隠蔽はがき２０１の送付元において、送付元の住所や氏名等を記入することなく、送付元の住所や氏名等を、隠蔽はがき２０１の送付先に通知することができる。
【００７５】
このように本形態においては、折り畳み可能に連接した３つの紙片部２１０ａ〜２１０ｃのうち、互いに連接する２つの紙片部２１０ａ，２１０ｂからはがき本体２０２が構成され、他の１つの紙片部２１０ｃから隠蔽片２０３が構成され、被着体となるパンフレット２３０から剥離し、はがき本体２０２を構成する２つの紙片部２１０ａ，２１０ｂを見開き、紙片部２１０ａ，２１０ｂの情報記入欄２１３ａ，２１３ｂに振込情報２１５及び通知情報２１６をそれぞれ記入した後、はがき本体２０２と隠蔽片２０３とを貼着することにより、紙片部２１０ｂに表示された宛先情報２１２が隠蔽された隠蔽はがき２０１となる構成としたため、パンフレット２３０から剥離して送付する場合に、紙片部２１０ｂに表示された宛先情報２１２を送付元にて手間をかけることなく隠蔽することができる。
【００７６】
（第４の実施の形態）
図７は、本発明の隠蔽はがきの第４の実施の形態を示す図であり、（ａ）は表面図、（ｂ）は裏面図、（ｃ）は（ａ）に示したＡ−Ａ’断面図である。
【００７７】
本形態は図７に示すように、紙基材３０４からなる３つの紙片部３１０ａ〜３１０ｃが折り部３２０ａ，３２０ｂを介して折り畳み可能に連接して構成されており、折り部３２０ａを介して連接する２つの紙片部３１０ａ，３１０ｂからはがき本体３０２が構成され、紙片部３１０ｃから隠蔽片３０３が構成されている。
【００７８】
紙片部３１０ａは、表面に、この隠蔽はがき３０１の送付先の住所や氏名等の宛先情報３１１が印刷によって表示されており、裏面には、この隠蔽はがき３０１の送付元から送付先に通知する通知情報を記入するための情報記入欄３１３ｂが設けられている。
【００７９】
紙片部３１０ｂは、表面に、この隠蔽はがき３０１の送付元の住所や氏名等の宛先情報３１２が印刷によって表示されており、裏面には地紋印刷３１７が施されている。
【００８０】
紙片部３１０ｃは、表面には、この隠蔽はがき３０１の送付方法を示す説明情報３１４が印刷されており、裏面には、この隠蔽はがき３０１の送付元から送付先に通知する振込情報を記入するための情報記入欄３１３ａが設けられている。
【００８１】
また、紙基材３０４うち、この隠蔽はがき３０１の表面側には、紙片部３１０ａに、圧力を加えることにより貼着され、貼着後の剥離を可能とする感圧接着剤３０５が塗布されている。また、紙基材３０４の裏面のうち、紙片部３１０ｃに感圧接着剤３０５が塗布されるとともに、紙片部３１０ｂに、貼着後の剥離が可能であって、剥離後の再貼着が可能な弱粘着剤３０６が塗布されている。
【００８２】
以下に、上記のように構成された隠蔽はがき３０１の使用方法について説明する。
【００８３】
図８は、図７に示した隠蔽はがき３０１の使用方法を説明するための図である。
【００８４】
図７に示した隠蔽はがき３０１は、例えば、消費者にパンフレットを送付し、パンフレットの送付に応じた代金を消費者に振り込ませる際に振込情報をパンフレットの送付元に通知するために用いられる。
【００８５】
図７に示した隠蔽はがき３０１をこのようなパンフレットの送付に用いる場合は、図８（ａ）に示すように、２つの紙片部３１０ａ，３１０ｂを、情報記入欄３１３ｂが設けられた面と地紋印刷３１７が施された面とが対向するように折り畳み、紙基材３０４の紙片部３１０ｂに塗布された弱粘着剤３０６によってこれら２つの紙片部３１０ａ，３１０ｂを互いに貼着し、さらに、情報記入欄３１３ａが設けられた面が紙片部３１０ａの宛先情報３１１が表示された面と対向するように紙片部３１０ｃを折り畳み、紙基材２０４の紙片部３１０ａ，３１０ｃにそれぞれに塗布された感圧接着剤３０５によって、紙片部３１０ａと紙片部３１０ｃとを貼着する。そして、紙片部３１０ｃの説明情報３１４が印刷された面を貼着面とし、被着体となるパンフレット３３０に塗布された弱粘着剤３３１によって隠蔽はがき３０１をパンフレット３３０に貼着する。
【００８６】
この状態においては、紙片部３１０ｂに表示された宛先情報３１２が表出しているが、この宛先情報３１２は、隠蔽はがき３０１の送付元の住所や氏名等であるとともに、パンフレット３３０の送付先情報であるため、この宛先情報３１２に従ってパンフレット３３０が送付先に送付される。
【００８７】
パンフレット３３０が送付先にて受け取られた後、パンフレット３３０の送付先において、まず、図８（ｂ）に示すように、隠蔽はがき３０１をパンフレット３３０から剥離する。隠蔽はがき３０１は紙片部３１０ｃにてパンフレット３３０に貼着されているが、紙片部３１０ｃとパンフレット３３０とは、パンフレット３３０に塗布された弱粘着剤３３１によって貼着されているため、パンフレット３３０から隠蔽はがき３０１を剥離することができる。
【００８８】
次に、図８（ｃ）に示すように、折り畳まれた状態で互いに貼着されていた３つの紙片部３１０ａ〜３１０ｃをそれぞれ剥離することにより、２つ折りにされていたはがき本体３０２を見開くとともに、はがき本体３０２から隠蔽片３０３を剥離する。本形態においては、まず、紙片部３１０ａと紙片部３１０ｃとを剥離する。これら２つの紙片部３１０ａ，３１０ｃは、紙片部３１０ａ，３１０ｃにそれぞれ塗布された感圧接着剤３０５によって貼着されているが、この感圧接着剤３０５は貼着後の剥離を可能とするものであるため、これら２つの紙片部３１０ａ，３１０ｃを剥離することができる。その後、紙片部３１０ａと紙片部３１０ｂとを剥離する。これら２つの紙片部３１０ａ，３１０ｂは、紙片部３１０ｂに塗布された弱粘着剤３０６によって互いに貼着されているが、弱粘着剤３０６は、貼着後の剥離を可能とするものであるため、互いに貼着された２つの紙片部３１０ａ，３１０ｂを剥離することができる。
【００８９】
そして、図８（ｄ）に示すように、紙片部３１０ａに設けられた情報記入欄３１３ｂに、パンフレット３３０の送付先から送付元に通知したい通知情報３１６を記入するとともに、紙片部３１０ｃに設けられた情報記入欄３１３ａに、パンフレット３３０の送付に応じた代金の振込みに関する秘匿情報となる振込情報３１５を記入する。この際、情報記入欄３１３ａ，３１３ｂはそれぞれ、紙片部３１０ａ，３１０ｂとの貼着面に設けられているものの、情報記入欄３１３ａにおいては、感圧接着剤３０５によって紙片部３１０ａと貼着されており、情報記入欄３１３ｂの紙片部３１０ｂとの貼着面には貼着構造が設けられていないため、互いに剥離した後であっても筆記性を有しており、それにより、振込情報３１５や通知情報３１６が記入可能となっている。
【００９０】
情報記入欄３１３ａ，３１３ｂに振込情報３１５及び通知情報３１６をそれぞれ記入した後、図８（ｅ）に示すように、紙片部３１０ｂの地紋印刷３１７が施された面と紙片部３１０ｃの情報記入欄３１３ａが設けられた面とが対向するように折り部３２０ｂを介して紙片部３１０ｂ，３１０ｃを折り畳む。
【００９１】
すると、紙片部３１０ｂの地紋印刷３１７が施された面には弱粘着剤３０６が塗布されており、この弱粘着剤３０６は、剥離後の再貼着が可能なものであるため、２つの紙片部３１０ｂ，３１０ｃがこの弱粘着剤３０６によって互いに貼着され、はがき本体３０２に隠蔽片３０３が貼着されることになる。ここで、隠蔽片３０３となる紙片部３１０ｃは、隠蔽はがき３０１が折り畳まれてパンフレット３３０に貼着されている状態においては情報記入欄３１３ａが設けられた面が、紙片部３１０ａの宛先情報３１１が表示された面と貼着されているため、紙片部３１０ｃは、隠蔽はがき３０１がパンフレット３３０に貼着された状態にて貼着されている面とは異なる面に貼着されることになる。
【００９２】
これにより、図８（ｆ）に示すように、紙片部３１０ｃの情報記入欄３１３ａに記入によって表示された振込情報３１５が紙片部３１０ｂによって隠蔽されることになる。なお、紙片部３１０ｂには、地紋印刷３１７が施されているため、この隠蔽はがき３０１を光に透かした場合であっても、紙片部３１０ｃの情報記入欄３１３ａに記入された振込情報３１５が見えてしまうことが回避される。
【００９３】
このようにして２つの紙片部３１０ｂ，３１０ｃが貼着された隠蔽はがき３０１は、図８（ｇ）に示すように、紙片部３１０ａに、この隠蔽はがき３０１の送付先の住所や氏名等の宛先情報３１１が表示されているので、この宛先情報３１１に従って隠蔽はがき３０１が送付されることになる。
【００９４】
隠蔽はがき３０１が送付先にて受け取られた後、隠蔽はがき３０１の送付先において、互いに貼着されていた２つの紙片部３１０ｂ，３１０ｃを剥離する。２つの紙片部３１０ｂ，３１０ｃは、貼着後の剥離が可能な弱粘着剤３０６によって互いに貼着されているため、２つの紙片部３１０ｂ，３１０ｃを互いに剥離することができる。すると、紙片部３１０ｃの情報記入欄３１３ａに記入によって表示され、紙片部３１０ｂによって隠蔽されていた振込情報３１５が視認可能となり、隠蔽はがき３０１の送付先において、この振込情報３１５を確認するとともに、紙片部３１０ｂに表示された宛先情報３１２及び情報記入欄３１３ｂに記入された通知情報３１６を確認する。紙片部３１０ｂに表示された宛先情報３１２は、隠蔽はがき３０１の送付元の住所や氏名等であるため、隠蔽はがき３０１の送付元において、送付元の住所や氏名等を記入することなく、送付元の住所や氏名等を、隠蔽はがき３０１の送付先に通知することができる。
【００９５】
このように本形態においては、折り畳み可能に連接した３つの紙片部３１０ａ〜３１０ｃのうち、互いに連接する２つの紙片部３１０ａ，３１０ｂからはがき本体３０２が構成され、他の１つの紙片部３１０ｃから隠蔽片３０３が構成され、被着体となるパンフレット３３０から剥離し、はがき本体３０２を構成する２つの紙片部３１０ａ，３１０ｂを見開き、紙片部３１０ｃの情報記入欄３１３ａに振込情報３１５を記入した後、はがき本体３０２と隠蔽片３０３とを貼着することにより振込情報３１５が隠蔽された隠蔽はがき３０１となる構成としたため、パンフレット３３０から剥離して送付する場合に、情報記入欄３１３ａに記入された振込情報３１５を送付元にて手間をかけることなく隠蔽することができる。
【００９６】
（第５の実施の形態）
図９は、本発明の隠蔽はがきの第５の実施の形態を示す図であり、（ａ）は表面図、（ｂ）は裏面図、（ｃ）は（ａ）に示したＡ−Ａ’断面図である。
【００９７】
本形態は図９に示すように、紙片部４１０ａ，４１０ｃに塗布された感圧接着剤４０５の塗布面が、第４の実施の形態に示したものに対して、表裏反転している点が異なるものである。
【００９８】
以下に、上記のように構成された隠蔽はがき４０１の使用方法について説明する。
【００９９】
図１０は、図９に示した隠蔽はがき４０１の使用方法を説明するための図である。
【０１００】
図９に示した隠蔽はがき４０１は、例えば、消費者にパンフレットを送付し、パンフレットの送付に応じた代金を消費者に振り込ませる際に振込情報をパンフレットの送付元に通知するために用いられる。
【０１０１】
図９に示した隠蔽はがき４０１をこのようなパンフレットの送付に用いる場合は、図１０（ａ）に示すように、２つの紙片部４１０ｂ，４１０ｃを、情報記入欄４１３ａが設けられた面と地紋印刷４１７が施された面とが対向するように折り畳み、紙基材４０４の紙片部４１０ｂに塗布された弱粘着剤４０６によってこれら２つの紙片部４１０ｂ，４１０ｃを互いに貼着し、さらに、情報記入欄４１３ｂが設けられた面が紙片部４１０ｃの説明情報４１４が印刷された面と対向するように紙片部４１０ａを折り畳み、紙基材４０４の紙片部４１０ａ，４１０ｃにそれぞれに塗布された感圧接着剤４０５によって、紙片部４１０ａと紙片部４１０ｃとを貼着する。そして、紙片部４１０ａの宛先情報４１１が表示された面を貼着面とし、被着体となるパンフレット４３０に塗布された弱粘着剤４３１によって隠蔽はがき４０１をパンフレット４３０に貼着する。
【０１０２】
この状態においては、紙片部４１０ｂに表示された宛先情報４１２が表出しているが、この宛先情報４１２は、隠蔽はがき４０１の送付元の住所や氏名等であるとともに、パンフレット４３０の送付先情報であるため、この宛先情報４１２に従ってパンフレット４３０が送付先に送付される。
【０１０３】
パンフレット４３０が送付先にて受け取られた後、パンフレット４３０の送付先において、まず、図１０（ｂ）に示すように、隠蔽はがき４０１をパンフレット４３０から剥離する。隠蔽はがき４０１は紙片部４１０ａにてパンフレット４３０に貼着されているが、紙片部４１０ａとパンフレット４３０とは、パンフレット４３０に塗布された弱粘着剤４３１によって貼着されているため、パンフレット４３０から隠蔽はがき４０１を剥離することができる。
【０１０４】
次に、図１０（ｃ）に示すように、折り畳まれた状態で互いに貼着されていた３つの紙片部４１０ａ〜４１０ｃをそれぞれ剥離することにより、２つ折りにされていたはがき本体４０２を見開くとともに、はがき本体４０２から隠蔽片４０３を剥離する。本形態においては、まず、紙片部４１０ａと紙片部４１０ｃとを剥離する。これら２つの紙片部４１０ａ，４１０ｃは、紙片部４１０ａ，４１０ｃにそれぞれ塗布された感圧接着剤４０５によって貼着されているが、この感圧接着剤４０５は貼着後の剥離を可能とするものであるため、これら２つの紙片部４１０ａ，４１０ｃを剥離することができる。その後、紙片部４１０ｂと紙片部４１０ｃとを剥離する。これら２つの紙片部４１０ｂ，４１０ｃは、紙片部４１０ｂに塗布された弱粘着剤４０６によって互いに貼着されているが、弱粘着剤４０６は、貼着後の剥離を可能とするものであるため、互いに貼着された２つの紙片部４１０ｂ，４１０ｃを剥離することができる。
【０１０５】
そして、図１０（ｄ）に示すように、紙片部４１０ａに設けられた情報記入欄４１３ｂに、パンフレット４３０の送付先から送付元に通知したい通知情報４１６を記入するとともに、紙片部４１０ｃに設けられた情報記入欄４１３ａに、パンフレット４３０の送付に応じた代金の振込みに関する秘匿情報となる振込情報４１５を記入する。この際、情報記入欄４１３ａ，４１３ｂはそれぞれ、紙片部４１０ａ，４１０ｂとの貼着面に設けられているものの、情報記入欄４１３ａの紙片部４１０ｂとの貼着面には貼着構造が設けられておらず、情報記入欄４１３ｂにおいては、感圧接着剤４０５によって紙片部４１０ｃと貼着されているため、互いに剥離した後であっても筆記性を有しており、それにより、振込情報４１５や通知情報４１６が記入可能となっている。
【０１０６】
情報記入欄４１３ａ，４１３ｂに振込情報４１５及び通知情報４１６をそれぞれ記入した後、図１０（ｅ）に示すように、紙片部４１０ｂの地紋印刷４１７が施された面と紙片部４１０ｃの情報記入欄４１３ａが設けられた面とが対向するように折り部４２０ｂを介して紙片部４１０ｂ，４１０ｃを折り畳む。
【０１０７】
すると、紙片部４１０ｂの地紋印刷４１７が施された面には弱粘着剤４０６が塗布されており、この弱粘着剤４０６は、剥離後の再貼着が可能なものであるため、２つの紙片部４１０ｂ，４１０ｃがこの弱粘着剤４０６によって互いに貼着され、はがき本体４０２に隠蔽片４０３が貼着されることになる。
【０１０８】
これにより、図１０（ｆ）に示すように、紙片部４１０ｃの情報記入欄４１３ａに記入によって表示された振込情報４１５が紙片部４１０ｂによって隠蔽されることになる。なお、紙片部４１０ｂには、地紋印刷４１７が施されているため、この隠蔽はがき４０１を光に透かした場合であっても、紙片部４１０ｃの情報記入欄４１３ａに記入された振込情報４１５が見えてしまうことが回避される。
【０１０９】
このようにして２つの紙片部４１０ｂ，４１０ｃが貼着された隠蔽はがき４０１は、図１０（ｇ）に示すように、紙片部４１０ａに、この隠蔽はがき４０１の送付先の住所や氏名等の宛先情報４１１が表示されているので、この宛先情報４１１に従って隠蔽はがき４０１が送付されることになる。
【０１１０】
隠蔽はがき４０１が送付先にて受け取られた後、隠蔽はがき４０１の送付先において、互いに貼着されていた２つの紙片部４１０ｂ，４１０ｃを剥離する。２つの紙片部４１０ｂ，４１０ｃは、貼着後の剥離が可能な弱粘着剤４０６によって互いに貼着されているため、２つの紙片部４１０ｂ，４１０ｃを互いに剥離することができる。すると、紙片部４１０ｃの情報記入欄４１３ａに記入によって表示され、紙片部４１０ｂによって隠蔽されていた振込情報４１５が視認可能となり、隠蔽はがき４０１の送付先において、この振込情報４１５を確認するとともに、紙片部４１０ｂに表示された宛先情報４１２及び情報記入欄４１３ｂに記入された通知情報４１６を確認する。紙片部４１０ｂに表示された宛先情報４１２は、隠蔽はがき４０１の送付元の住所や氏名等であるため、隠蔽はがき４０１の送付元において、送付元の住所や氏名等を記入することなく、送付元の住所や氏名等を、隠蔽はがき４０１の送付先に通知することができる。
【０１１１】
このように本形態においては、折り畳み可能に連接した３つの紙片部４１０ａ〜４１０ｃのうち、互いに連接する２つの紙片部４１０ａ，４１０ｂからはがき本体４０２が構成され、他の１つの紙片部４１０ｃから隠蔽片４０３が構成され、被着体となるパンフレット４３０から剥離し、はがき本体４０２を構成する２つの紙片部４１０ａ，４１０ｂを見開き、紙片部４１０ｃの情報記入欄４１３ａに振込情報４１５を記入した後、はがき本体４０２と隠蔽片４０３とを貼着することにより振込情報４１５が隠蔽された隠蔽はがき４０１となる構成としたため、パンフレット４３０から剥離して送付する場合に、情報記入欄４１３ａに記入された振込情報４１５を送付元にて手間をかけることなく隠蔽することができる。
【０１１２】
なお、上述した第４及び第５の実施の形態においては、隠蔽はがき３０１，４０１をパンフレット３３０，４３０に貼着するための貼着構造として、パンフレット３３０，４３０に弱粘着剤３３１，４３１を塗布しているが、隠蔽はがき３０１，４０１のパンフレット３３０，４３０との貼着面にメジウム層及びニス層を積層し、パンフレット３３０，４３０に粘着剤を塗布しておくことにより、隠蔽はがき３０１，４０１をパンフレット３３０，４３０に貼着する構成とすることも考えられる。この場合、隠蔽はがき３０１，４０１をパンフレット３３０，４３０から剥離した際、隠蔽はがき３０１，４０１とパンフレット３３０，４３０とがメジウム層とニス層との境界にて層間剥離し、それにより、パンフレット３３０，４３０の隠蔽はがき３０１，４０１の貼着部分がべたつくことがなくなる。このように、隠蔽はがき３０１，４０１をパンフレット３３０，４３０に貼着するための貼着構造として、層間剥離し、その後、再貼着を不可能とするものを用いることにより、隠蔽はがき３０１，４０１をパンフレット３３０，４３０から剥離した際に、パンフレット３３０，４３０の隠蔽はがき３０１，４０１の貼着部分をべたつかなくすることができる。
【０１１３】
また、上述した実施の形態にて示した情報記入領域や宛先情報の配置においては、秘匿情報に応じて３つの紙片部にて適宜設定することができる。
【符号の説明】
【０１１４】
１，１０１，２０１，３０１，４０１    隠蔽はがき
２，１０２，２０２，３０２，４０２    はがき本体
３，１０３，２０３，３０３，４０３    隠蔽片
４，１０４，２０４，３０４，４０４    紙基材
５，１０５，２０５，３０５，４０５    感圧接着剤
６，３１，１０６，１３１，２０６，２３１，３０６，３３１，４０６，４３１    弱粘着剤
１０ａ〜１０ｃ，１１０ａ〜１１０ｃ，２１０ａ〜２１０ｃ，３１０ａ〜３１０ｃ，４１０ａ〜４１０ｃ    紙片部
１１，１２，１１１，１１２，２１１，２１２，３１１，３１２，４１１，４１２    宛先情報
１３ａ，１３ｂ，１１３ａ，１１３ｂ，２１３ａ，２１３ｂ，３１３ａ，３１３ｂ，４１３ａ，４１３ｂ，    情報記入欄
１４，１１４，２１４，３１４，４１４    説明情報
１５，１１５，２１５，３１５，４１５    振込情報
１６，１１６，２１６，３１６，４１６    通知情報
１７，１１７，２１７，３１７，４１７    地紋印刷
２０ａ，２０ｂ，１２０ａ，１２０ｂ，２２０ａ，２２０ｂ，３２０ａ，３２０ｂ，４２０ａ，４２０ｂ    折り部
３０，１３０，２３０，３３０，４３０    パンフレット
【図１】
2011088412.tif 000003
【図２】
2011088412.tif 000004
【図３】
2011088412.tif 000005
【図４】
2011088412.tif 000006
【図５】
2011088412.tif 000007
【図６】
2011088412.tif 000008
【図７】
2011088412.tif 000009
【図８】
2011088412.tif 000010
【図９】
2011088412.tif 000011
【図１０】
2011088412.tif 000012